Podtech/llm-jp-corpus-v4-ja_patent huggingface dataset:
(57)【要約】      （修正有）【課題】卓上カレンダーであると同時にケース内にあるステージ部分に観葉植物やフィギュアなどの展示物を置くことができ、一体式で貼り加工がないのにワンタッチにて正面額が三方囲みの卓上カレンダーに変形できる卓上カレンダーケースを提供する。【解決手段】１枚の板紙あるいは薄型の板状素材にカレンダーが入る、本体カレンダー押さえ１と観葉植物やフィギュアなどが展示できるステージ部分２と４を設ける。本体カレンダー押さえにはステージ部分と同サイズの穴を開けた、インデックス付のカレンダー３を入れることでステージ部分に置いた展示物を見ることができる。サイド凸掛部５とサイド凹掛部６を組み合わせ、展開時に開閉時ストッパー７と底面部８とを引っかける事で、一体式で貼り加工が不要でワンタッチにて変形をする卓上カレンダーケースになる。【選択図】図１
2007261246.tif 000002
【特許請求の範囲】
【請求項１】
ステージ用の窓を卓上カレンダーに開けることで、展示ケースとしての機能を持つ、卓上カレンダー。
【請求項２】
一体式で貼り加工がないのにワンタッチにて正面額が三方囲みの卓上カレンダーに変形できる卓上カレンダー。
【発明の詳細な説明】
【技術分野】
【０００１】本発明は、カレンダーを収容すると共に様々な展示物を同時に飾ることができる卓上カレンダーに関するものである。
【背景技術】
【０００２】従来、紙製卓上カレンダーはカレンダー本体に穴を開けてあるものはあったが、カレンダーを収納するケースに穴を開けて、そこに物を載せる事が出来なかった。
また、紙製卓上カレンダーケースは形状の関係で正面カレンダーの固定枠部分をロの字型にしなくてはならなかった。
【特許文献１】特許公開２００４−５８４７８
【特許文献２】特許公開２００５−１６１６６２
【特許文献３】特許公開２０００−２５３６４
【特許文献４】特開平９−２７６１０４
【発明の開示】
【発明が解決しようとする課題】
【０００３】上記の従来品には次のような欠点があった。
カレンダー本体に穴が開けてあるものはあっても、ケースには物を載せる場所やそのための仕組みがなく、せいぜい平面物である写真、絵、薄型時計などしか取りつける事が出来ず、用途が限られていた。
また、ケース正面のカレンダー固定枠がロの字になっていることで、カレンダー本体の上下左右すべての面が隠れてしまい、複数枚あるカレンダーのうち、正面にあるものしか見ることが出来なく、次の枚様を見るためには一度ケースから出さなくてはならず、非常に不便であった。
【課題を解決するための手段】
【０００４】本発明では、卓上カレンダーのカレンダー本体に穴をあけ、ケース自体にステージを設けることで、利用者の趣味や企業の広告物を展示できる場所を作った。
さらに、凹凸による組合せのサイドパーツ部分を作ることで、側面部分の強度が確保できたためにカレンダーケース正面のカレンダー固定枠を上が開いたコの字型にした。
【発明の効果】
【０００５】本発明によれば、カレンダーケースにものを載せることが出来るスペースがあるのでその部分を利用して以下のようなインテリアとして卓上カレンダーを利用できる【０００６】ステージ部分は植木鉢用ステージと平台ステージの２種類があり、植木鉢用ステージにすれば植木鉢を安定して置くことが出来るので、サボテンをはじめとするトゲのある多肉植物などを卓上に簡易で安全に飾ることが出来るようになる。【０００７】また、平台ステージを利用すれば、個人の趣味を活かした様々な展示物を卓上に飾ると同時に狭いスペースにもカレンダーと展示ケースを併せて飾る事ができる。【０００８】さらにステージ部分に商品を乗せ、カレンダー部分にその商品の説明を記載する事で、今までにない新しい説明用ツールとして通年に渡って、机上にて見てもらうことが出来る。【０００９】本発明によれば、カレンダー固定枠を上が開いたコの字になっているので、その部分を利用してカレンダー自体にインデックスを付けることで、次の枚様を確認するときにすべてのカレンダーを出す必要がなくなる。【００１０】１枚の板状の素材に切り込み部分と曲スジを入れる事で、卓上カレンダーとしての支持部分を形成することにより、素材の反発力を活かす事でワンタッチの展開とその固定を実現している。【００１１】さらに、接着剤を使用することなく、簡易に製造が可能であり、板紙で本体とカレンダーを作成すれば金属やプラスチックなどの部品を利用することがないので環境にも非常に配慮した製品の提供が可能になる。
【発明を実施するための最良の形態】
【００１２】本実施形態のカレンダー構造体は、図１の本体カレンダー押さえ（１）とサイド凸掛部（５）、サイド凹掛部（６）、底面部（８）からなり、本体の表部分に直径４５ｍｍの植木鉢用ステージ（２）と本体裏面部分に平台ステージ（４）をあわせもつ。【００１３】組立時にサイド凸掛部（５）とサイド凹掛部（６）をかみ合わせ、本体カレンダー押さえ（１）と本体表部分、裏面部分を巻き込むように組み上げ、かみ合わせたサイド部分を内側に折り込んでたたむ。【００１４】畳んだ状態で折りたたみ時固定用差込穴（９）に折りたたみ時固定用差込部（１０）を入れ、固定する。【００１５】使用時に際しては、図４のように本体表部分下部と本体裏面部分の下部を引き離すように広げ、底面部（８）を開く。【００１６】開いた後、開閉時ストッパー（７）がそれぞれ引っかかり、素材の反発を利用して元に戻らないようになる。【００１７】植木鉢用ステージ（２）を利用する場合は、図６のように平台ステージ（４）を１８０度内側に折り込み、平台ステージ（４）先端の凸部分を逆折りして内部に止めた上で、植木鉢用ステージ（２）のステージを９０度内側に折り込んで平台ステージ（４）下部の半月位置に乗せた後、植木鉢を穴に入れて固定する。【００１８】平台ステージ（４）を利用して造形物を乗せる場合には、図５のように、まず先に植木鉢用ステージ（２）を９０度内側に折り、平台ステージ（４）下部の半月位置に乗せた後に平台ステージ（４）を内側に９０度折り込んで平台ステージ（４）先端の凸部分を植木鉢用ステージ（２）の穴に差しこんで固定した後に造形物などを載せる。【００１９】図３のカレンダー部（３）は両面、もしくは片面印刷にて６枚で１年分を対応できるようになっており、必要な月は上部インデックスにより判断の上、差し替えて利用する。
【図面の簡単な説明】
【００２０】
【図１】本実施形態の展開図
【図２】本実施形態の使用例の一例を示す四方図
【図３】本実施形態の組み上がり斜図とカレンダー枚様
【図４】本実施形態の組立使用図
【図５】本実施形態の平台ステージ使用組立図
【図６】本実施形態の植木鉢ステージ使用組立図
【符号の説明】
【００２１】１  本体カレンダー押さえ
２  植木鉢用ステージ
３  カレンダー部
４  平台ステージ
５  サイド凸掛部
６  サイド凹掛部
７  開閉時ストッパー
８  底面部
９  折りたたみ時固定用差込穴
１０  折りたたみ時固定用差込部
【図１】
2007261246.tif 000003
【図２】
2007261246.tif 000004
【図３】
2007261246.tif 000005
【図４】
2007261246.tif 000006
【図５】
2007261246.tif 000007
【図６】
2007261246.tif 000008
(57)【要約】【課題】  コンパクトで小型で、ウェブの幅方向にアンバランスな張力がかからないような位置調整装置を提供し、ウェブの張力を一定にすることにより段ボールシートの貼合不良や変形反りをなくす。【解決手段】  入口可動ロール２および出口可動ロール３は平行で位置関係が変わらずお互いの距離が保たれるように配置し、平面的に回転させることにより角度を変更可能とする。【選択図】図１
2007261245.tif 000002
【特許請求の範囲】
【請求項１】
ウェブ（１）の流れ方向と直角に、平行で２本のお互いの位置関係と距離が保たれた入口可動ロール（２）および出口可動ロール（３）を配し、しかもそれらのロールのウェブの流れ方向に対する角度を変更可能としたウェブの走行位置調整装置。
【発明の詳細な説明】
【技術分野】
【０００１】  本発明は、段ボールシート製造に関するものである。
【背景技術】
【０００２】  段ボールシートはウェブであるライナーおよび中芯の段ボール原紙を主原料としコルゲータで製造される。  段繰りされた中芯とライナーを貼り合わせて製造するが必ず紙端が合うわけではなく、紙端がずれると同じ紙幅の原紙であるとライナーと中芯のずれた段ボールシートになる。  製品にする場合にはシートをカットする前に両紙端をスリットし不用ないわゆる耳を落すが、ずれが大きいと落す部分が多くなり無駄である。  ライナーの紙端が中芯とずれている場合の従来の矯正装置は以下のようなものである。  図３および４に概念図を示すが、平行な２本の入口固定ロール（４）および出口固定ロール（５）と、平行でお互いの位置関係が変わらない２本の入口可動ロール２および出口可動ロール３を持ち、そのうちの２および３を平面上で傾斜させる。  図３の破線の状態から実線のように可動ロール２および３を傾けると、ウェブ１の出口位置は破線の位置から５の実線の位置へ移動し調整できる。  しかしその場合図４のロール２と４および３と５の間が平行でなくなり捩れるため、ウェブの紙幅方向で紙の両端ほど大きな張力がかかる。  この張力を少なくしようとすると２と４、３と５の距離を大きく取ることになるが装置が大きくなり、スペースのない実機では取付けは困難である。  ウェブの張力のバランスが崩れるとシートの貼合不良や変形反りの原因になる。
【発明の開示】
【発明が解決しようとする課題】
【０００３】  ウェブにアンバランスな張力がかからないコンパクトな位置調整装置にし、ウェブの張力を一定にすることによりシートの貼合不良や変形反りをなくす。
【課題を解決するための手段】
【０００４】  図１および２の概念図に基づき説明する。  ウェブ１の流れ方向と直角に、平行で２本のお互いの位置関係と距離が保たれた入口可動ロール２および出口可動ロール３を配し、しかもそれらのロールのウェブの流れ方向に対する角度を変更可能とする。
【発明の効果】
【０００５】  本発明により２本のロールなので装置がコンパクトで小型化でき、ウェブの幅方向の距離が均一になり無理な力がかからない為ウェブの張力が一定になり、シートの貼合不良や変形反りをなくすことができ、製品の品質の安定化が図れる。
【発明を実施するための最良の形態】
【０００６】  以下、本発明の詳細を実施例に基づき説明する。
【実施例】
【０００７】  図１および２の概念図に基づき説明する。  入口可動ロール２および出口可動ロール３は平行で位置関係が変わらずお互いの距離が保たれるように配置し、それらは平面的に回転できるようにしておく。  ライナーの紙端が中芯の紙端とずれるとそれをセンサで検知し、その矯正信号により回転装置で回転させると両ロールは平行なので、ウェブ１の幅方向に無理がかからずに出口可動ロールのウェブの位置がずらせられる。  すなわち破線の状態から実線の状態になる。  ここではウェブとしてライナーで記述したが製段前の中芯でも同様である。
【産業上の利用可能性】
【０００８】  本発明の装置により原紙の幅方向に無理がかからずに紙端を合わせられるので、耳落しの無駄が減るとともに、ウェブの幅方向の張力のアンバランスがなくなるのでシートの貼合不良や変形反りを発生しないので、製品の品質の向上や製函機のトラブルが減り生産性が上がる上に、小型なのでスペース的に楽な上にコストも下がるので、導入しやすくなる。
【図面の簡単な説明】
【０００９】
【図１】  本発明の平面の概念図である。
【００１０】
【図２】  本発明の正面の概念図である。
【００１１】
【図３】  従来の平面の概念図である。
【００１２】
【図４】  従来の正面の概念図である。
【符号の説明】
【００１３】    １  ウェブ
２  入口可動ロール
３  出口可動ロール
４  入口固定ロール
５  出口固定ロール
【図１】
2007261245.tif 000003
【図２】
2007261245.tif 000004
【図３】
2007261245.tif 000005
【図４】
2007261245.tif 000006
(57)【要約】      （修正有）【課題】  鋸をケースに収納すると柄首の鋸刃螺着ネジにフック部に掛止し、Ｃ字形弾性枠板の持つ弾性力によってフック部が押圧され鋸がケース内で定着し、鋸をケースから抜脱すると同時にフック部が離脱する定着フック式鋸ケースを提供する。【解決手段】  鋸刃１を鋸刃螺着ネジ２で止めた鋸３を収納及び携帯するための任意形のケース４であり、そのケースの挿入口に近接し、先端にフック部６を形成したＣ字形弾性枠板７を嵌着し、ケースを切欠して内側にフック部を突出させ、鋸をケースに挿入により、柄首８に設ける鋸刃螺着ネジの頭部がフック部に摺動し、鋸刃螺着ネジの後縁にフック部が掛止となり、Ｃ字形弾性枠板の弾性力よってフック部が鋸を押圧して鋸をケース内で定着し、ケースから鋸の抜脱でフック部が離脱する。【選択図】図３
2007261244.tif 000002
【特許請求の範囲】
【請求項１】
鋸刃を鋸刃螺着ネジで止めた鋸を収納及び携帯するための任意形のケースであり、そのケースの挿入口に近接し、先端にフック部を形成したＣ字形弾性枠板を嵌着し、ケースを切欠して内側にフック部を突出させ、鋸をケースに挿入により、柄首に設ける鋸刃螺着ネジの頭部がフック部に摺動し、鋸刃螺着ネジの後縁にフック部が掛止となり、Ｃ字形弾性枠板の弾性力よってフック部が鋸を押圧して鋸をケース内で定着し、ケースから鋸の抜脱でフック部が離脱することを特徴とする定着フック式鋸ケース。
【発明の詳細な説明】
【技術分野】
【０００１】    本発明は、定着フック式鋸ケースに関する。
【背景技術】
【０００２】
【特許文献１】    特願  ２００４−４７３５３      特開  ２００５−２３７４１２
【特許文献２】    特願  ２００４−５５１１４      特開  ２００４−２４３５１７
【特許文献３】    実願  ２００４−４９３          実登  第３１０３５４１号
【特許文献４】    特願  平６−２８９８８          特開  平７−２１３１７１
【発明の開示】
【発明が解決しようとする課題】
【０００３】    従来、鋸の収納ケースでは、鋸刃の形状に合わせたものや、鋸刃の弾性力を利用して保持するものがあったが、全て鋸刃面の保持であって、鋸刃をネジで止めた鋸などには確りと鋸をケース内に定着できない問題があった。【０００４】    本発明は、鋸ケースの挿入口に近接して、先端にフック部を形成したＣ字形弾性枠板を嵌着し、ケースを切欠して内側にフック部を突出させ、鋸をケースに収納すると柄首の鋸刃螺着ネジにフック部に掛止し、Ｃ字形弾性枠板の持つ弾性力によってフック部が押圧され鋸がケース内で定着し、鋸をケースから抜脱すると同時にフック部が離脱する定着フック式鋸ケースの提供を目的とするものである。
【課題を解決するための手段】
【０００５】    前記の課題を達成するため、鋸刃を鋸刃螺着ネジで止めた鋸を収納及び携帯するための任意形のケースであり、そのケースの挿入口に近接して、先端にフック部を形成したＣ字形弾性枠板を嵌着し、ケースを切欠して内側にフック部を突出させ、鋸をケースに挿入により、柄首に設ける鋸刃螺着ネジの頭部がフック部に摺動し、鋸刃螺着ネジの後縁にフック部が掛止となり、Ｃ字形弾性枠板の弾性力よってフック部が鋸を押圧して鋸をケース内で定着し、ケースから鋸の抜脱でフック部が離脱する手段を講ずる。
【発明の効果】
【０００６】    本発明の定着フック式鋸ケースにおいて、Ｃ字形弾性枠板の弾性力によってに鋸刃螺着ネジの後縁にフック部が掛止し、ケース内でネジによって出来る替刃鋸の遊間をなくし、確りと定着させて収納携帯できるものである。
【発明の実施するための最良の形態】
【０００７】    以下、本発明の実施の形態を図面にもとづいて説明する。
【０００８】    図１〜図２に示す実施例では、鋸刃１を鋸刃螺着ネジ２で止めた鋸３を収納及び携帯するための任意形のケース４であり、そのケース４の挿入口５に近接して、先端にフック部６を形成したＣ字形弾性枠板７を嵌着し、ケース４を切欠して内側にフック部６を突出させ、鋸１をケース４に挿入により、柄首８に設ける鋸刃螺着ネジ２の頭部９がフック部６に摺動し、鋸刃螺着ネジ２の後縁１０にフック部６が掛止となり、Ｃ字形弾性枠板７の弾性力よってフック部６が鋸３を押圧してケース内で定着し、ケース４から鋸３の抜脱によりフック部６が離脱するようにしている。
【０００９】    図３に示す実施例では、ケースに鋸を挿入し定着する状態を現している。
【００１０】    図４に示す実施例では、ケースから鋸を抜脱する状態を現している。
【図面の簡単な説明】
【００１１】
【図１】  本発明の実施例を示す正面図である。
【図２】  本発明のＣ字形弾性枠板の形状を示す側面図である。
【図３】  本発明のケース内に鋸の定着を示す断面図である。
【図４】  本発明のケースから鋸を抜脱する状態を示す断面図である。
【符号の説明】
【００１２】  １  鋸刃
２  鋸刃螺着ネジ
３  鋸
４  ケース
５  挿入口
６  フック部
７  Ｃ字形弾性枠板
８  柄首
９  頭部
１０  後縁
【図１】
2007261244.tif 000003
【図２】
2007261244.tif 000004
【図３】
2007261244.tif 000005
【図４】
2007261244.tif 000006
(57)【要約】      （修正有）【課題】  お年寄り等手の不自由な人でも筆記行為において落とすことなく、且つ書き易い筆記用具を提供する。【解決手段】  筆記用具本体の長手方向の略中央部に回転自由で指輪の内径を調整可能にし、かつ、バネやゴムを介して伸縮自在とした紐に接続された指輪を装着した筆記用具。クリップ等の固定用爪を有する筆記用具本体については指輪が固定用爪と９０°回転した位置に取り付けられる。【選択図】図１
2007261241.tif 000002
【特許請求の範囲】
【請求項１】
長手方向の略中央部に自由に回転できる指輪を装着した筆記用具において、この指輪の内径サイズが自由に変えられる事を特徴とする。
【請求項２】
請求項１において、指輪は筆記用具本体に対し伸縮自在の紐等で接続されている事を特徴とする。
【請求項３】
請求項２の範囲において、その紐等は筆記具本体内でバネやゴムを介して取り付けられている事を特徴とする。
【請求項４】
請求項１の範囲において、指輪と筆記用具本体の取付け部が工業的軸受でつながっている事を特徴とする。
【請求項５】
請求項１の範囲において、筆記用具と指輪の取付け部の位置がポケット等の固定用爪位置に対し、筆記用具を円筒と考えたときの円周方向に対し略９０度の位置にある事を特徴とする。
【発明の詳細な説明】
【０００１】  この発明は指輪を装着した筆記用具に関する。
【技術背景】
【０００２】  従来、指に固定できる筆記用具は存在したが、いずれも目的が伝票めくりをしながら等の複合的作業用であり、筆記行為としては使いにくく、且つ自由度が少なかった。また、特願２００３−３９００４においても、指輪の内径サイズが固定のため、特定の指にしか装着できなかった。
【発明の開示】
【発明が解決しようとする課題】
【０００３】  通常の筆記用具は、指に装着していないため、お年寄り等手の不自由な人は力不足から筆記用具を落としてしまう事があった。また、健常者でも屋外での筆記活動時に落として紛失したりする欠点があった。また、従来の指に固定できるタイプでも指先に取り付ける形態となるため、書き難い欠点があった。
特願２００３−３９００４においては、前記の欠点は補っているものの、指輪サイズが固定のため特定の指にしか使えなかった。
【課題を解決するための手段】
【０００４】  本発明の筆記用具は長手方向の略中央部に回転自由、内径調整可能で、かつ伸縮自在の紐付きの指輪を装着した筆記用具。
【発明の効果】
【０００５】  この筆記用具であれば、手の不自由な人でも健常者でも落とすことがなく、また、どの指のサイズでも装着でき、かつ書き易い。
【発明を実施するための最良の形態】
【０００６】  ［実施例］
図１の示す様に、筆記用具本体１の長手方向の略中央部に指輪２を取付けている。この指輪２が筆記用具本体１との取付け部３において筆記用具本体１に対し自由に回転できる様な構造とする。さらに、この指輪２は内径が自由に変更できるようになっている。この場合、金属あるいは樹脂でできており、これらの材料の弾力性を利用して目的を達成している。【０００７】  図２は内径変更可能な指輪部の一例を示す。金属あるいは樹脂でできており、指輪の下面に切り欠き６を有する事により、材料の弾力性によって指輪の内径が自由に変更できるようになっている。【０００８】  図３は内径変更可能な指輪部の一例を示す。指輪が５個の部品からできており、それぞれの部品が伸縮自在の紐あるいはバネで接続されている。紐あるいはバネの弾力性により指輪の内径が自由に変更できるようになっている。【０００９】  図４は本発明の筆記用具の正面図で、筆記用具本体１に洋服の胸ポケットに差込み固定するクリップ等の固定用爪４がついている様子を示す。その固定用爪４の位置に対し、指輪２の取付け部は、約９０度の角度を有する。
指輪２は筆記用具本体１に、工業的軸受けで接続され自由に回転できる。
また、この指輪２は伸縮自在の紐５等で筆記用具本体１と接続されており、その紐５は筆記具本体内でバネやゴムを介して筆記用具本体１内に取り付けられている。これにより破線で示すように指輪２から筆記用具本体１が離れた場合も、元の位置に自動的に戻ることができる。【００１０】  図５は本発明の筆記用具を使用している状態。
【図面の簡単な説明】
【図１】  本発明の一実施例の筆記用具の斜視図。
【図２】  同一実施例の筆記用具の指輪部、例１の正面図と下面図。
【図３】  同一実施例の筆記用具の指輪部、例２の正面図と下面図。
【図４】  同一実施例の筆記用具の正面図、指輪部が伸びた時の補足図。
【図５】  同一実施例の筆記用具の使用時の斜視図。
【符号の説明】
１…筆記用具本体、２…内径調整可能な指輪、３…取付け部、４…固定用爪、５…紐、６…切り欠き
【図１】
2007261241.tif 000003
【図２】
2007261241.tif 000004
【図３】
2007261241.tif 000005
【図４】
2007261241.tif 000006
【図５】
2007261241.tif 000007
(57)【要約】【課題】  店舗内での買い物終了後、袋の中の品物をみえないようにしたり、保冷効果を保つことを提供する。【解決手段】  買い物終了後、可撓地からなる手さげ袋に品物をいれてカバ−シ−トで覆うことで品物をみえないように、保冷時間の維持のために工夫した袋。【選択図】図１
2007261682.tif 000002
【特許請求の範囲】
【請求項１】
上面が開口した可撓地からなる手さげ袋（１）であって、開口上縁にカバ−シ−ト（４）を延設してなり、該カバ−シ−ト（４）の大きさを袋横巾（Ｗ）より小さく、２本のさげ手（Ａ）の間隔１辺の巾より広く（ＦＷ）、カバ−シ−トを底面（３）につかない長さ（Ｌ）に形成されていることを特徴とする買い物用袋。
【請求項２】
前記、開口した可撓地からなる手さげ袋（１）の、背、開口上縁にカバ−シ−ト（４）を延設してなり、該カバ−シ−ト（４）の大きさを袋横巾（Ｗ）より小さく、２本のさげ手（Ａ）の間隔１辺の巾より広く（ＦＷ）、  カバ−シ−トをマチ（５）巾の長さ（Ｌ′）に形成されていることを特徴とする請求項１に記載の買い物用袋。
【発明の詳細な説明】
【発明の詳細な説明】
【技術分野】
【０００１】本発明は、店舗内での買い物が終り、品物を袋に収めた後、品物が見えないようにカバ−シ−トで覆う状態を保てるように工夫するものである。
【背景技術】
【０００２】特開２００４−７８４が提案されている。
買い物籠にセット出来る袋で、収納部の１組の折り返し部同士が接合されて買い物用袋の口を覆うとありますが、
この買い物袋は、買い物終了後、品物を袋に入れてカバ−シ−トで覆うことの違いです。
【発明が解決しようとする課題】
【０００３】買い物用袋に品物を入れて、延設のカバ−シ−トをかけるために品物がみえないように。保冷時間を保つことが出来る。又盗難防止にもなる。
手提げ袋を使うことで環境汚染、ゴミ問題を解消するため。
【課題を解決するための手段】
【０００４】本発明は、開口上縁にカバ−シ−ト（４）を延設して、該カバ−シ−トの大きさを袋横巾（ｗ）より小さく、２本のさげ手（Ａ）間隔１辺の巾より広く（ＦＷ）カバ−シ−ト（４）を底面（３）につかない長さ（Ｌ）に形成されている買い物袋。
買い物が終わり、袋に品物を入れてカバ−シ−トで覆うことを提供することで、上記課題を解決する。
【実施例】
【０００５】品物を手さげ袋に入れて延設のカバ−シ−ト（なかぶた）（Ｌ）で覆う。
カバ−シ−トの巾は、マチの巾を引いた広さか、やや控えめの巾にすることでカバ−シ−トがフラップしやすい。
カバ−シ−トはフラップしやすいので取り出し易く、覆うことができる。
請求項２の場合
品物を袋に入れて、長いカバ−シ−ト（Ｌ）で覆い、次に短いカバ−シ−ト（Ｌ′）で覆うと品物の収まりがよく、カバ−シ−トが二重になるため保冷効果も維持出来る。【０００６】材質はナイロンシ−ト、ビニ−ルシ−ト、樹脂シ−ト、防水加工布、撥水加工布、保冷シ−ト等を使用。さげ手も重さに耐えられるさげ紐にして、肩にもかけられる長さにしておく。カバ−シ−トの角（Ｃ）は角や丸でもよい。
使用後は袋を小さく畳んで小袋に入れて止め金具をつけておく。
【発明の効果】
【０００７】  １、買った品物を袋に入れて、カバ−シ−トをかけると袋の中の品物は見えにくい。
２、カバ−シ−ト（なかぶた）は簡単に覆うことができる。
３、保冷効果が保てる。
４、盗難防止になる。
【図面の簡単な説明】
【図１】本発明の外観図
【符号の説明】
１  袋
２  さげ手
３  底面
４  カバ−シ−ト（なかぶた）
５  マチ
Ａ        さげ手の巾
Ｌ、Ｌ′  カバ−シ−トの長さ
ＦＷ      カバ−シ−トの横巾
Ｗ        袋横巾
Ｂ、Ｂ    切断面
Ｃ        カバ−シ−ト
【図１】
2007261682.tif 000003
(57)【要約】 【課題】操作部の安定で安全な吊り上げ吊り下げ作業をする新規な弁操作部の吊り上げ吊り下げ用治具装置を提供する。【解決手段】操作部３のヨーク４に夫々着脱自在として治具本体１０を設け、この治具本体１０の両側にはそれぞれ雌捻子部１１を設け、この雌捻子部１１に吊り上げ用ワイヤーフックを設けたアイボルト１３を捻じ込み取り付けるようにしたものである。【選択図】図１
2007261690.tif 000002
【特許請求の範囲】
【請求項１】
操作部のヨークに夫々着脱自在として治具本体を設け、この治具本体の両側にはそれぞれ雌捻子部を設け、この雌捻子部に吊り上げ用ワイヤーフックを設けたアイボルトを捻じ込み取り付けるようにしてある弁操作部の吊り上げ吊り下げ用治具装置。
【請求項２】
上記治具本体が棒状部材である上記請求項１に記載の弁操作部の吊り上げ吊り下げ用治具装置。
【請求項３】
上記治具本体を固定バンドによりヨークに着脱自在にしてある上記請求項１又は２に記載の弁操作部の吊り上げ吊り下げ用治具装置。
【請求項４】
上記アイボルトの雌捻子部への捻じ込み取り付けの取り付け位置を調節可能としてある上記請求項１ないし３の何れかに記載の弁操作部の吊り上げ吊り下げ用治具装置。
【発明の詳細な説明】
【技術分野】
【０００１】
本発明は、各種弁の操作部の吊り上げ吊り下げ用の治具装置に関する。
【背景技術】
【０００２】
工場プラント内の流体配管中に各種弁が配置されている。これら弁にはその操作部が着脱自在に立ち上げられており、弁の保守点検作業時にはこの操作部を弁から取り外さなければならない。しかし、この操作弁は重量が大きいから、その取り外し取り付けには、チェーンブロックにより吊り上げ吊り下げしなければならない。ところがこの操作部には吊り用ピースがなく、チェーンブロックのワイヤーの吊りフックを取り付ける個所がない。従って従前では、操作部にヨークがあるので、このヨークにワイヤーを巻き付けて、吊り上げ吊り下げ作業を行っていた。
【発明の開示】
【発明が解決しようとする課題】
【０００３】
上記操作部のヨークにワイヤーを巻き付けての吊り上げ吊り下げ作業では、２点吊りとなるため吊り作業が不安定な状態となり、操作部に局部荷重がかかり操作部を破損するおそれがあるという課題。
本発明はこの点に鑑み、操作部の安定で安全な吊り上げ吊り下げ作業をする新規な弁操作部の吊り上げ吊り下げ用治具装置を提供するものである。
【課題を解決するための手段】
【０００４】
そのために、本発明弁操作部吊り上げ吊り下げ用治具装置は、操作部のヨークに夫々着脱自在として治具本体を設け、この治具本体の両側にはそれぞれ雌捻子部を設け、この雌捻子部に吊り上げ用ワイヤーフックを設けたアイボルトを捻じ込み取り付けるようにしたものである。
上記治具本体が棒状部材である。
上記治具本体を固定バンドによりヨークに着脱自在にしてある。
上記アイボルトの雌捻子部への捻じ込み取り付けの取り付け位置を調節可能としてある。
【発明の効果】
【０００５】
本発明の弁操作部吊り上げ吊り下げ用治具装置は、操作部のヨークに夫々着脱自在として治具本体を設け、この治具本体の両側にはそれぞれ雌捻子部を設け、この雌捻子部に吊り上げ用ワイヤーフックを設けたアイボルトを捻じ込み取り付けるようにしたものであるから、操作部に対して２ケづつ対称にして４つの吊り上げ用ワイヤーフックが配置されるから、吊り上げ時には４点吊りとなり、吊り上げ作業を安定且つ安全にすることができる効果がある。また、操作部を安定して吊り上げ吊り下げするから、操作部を破損することもない効果がある。
【０００６】
また、上記治具本体が棒状部材であるから、この棒状治具本体をヨークの内側に差し入れて安定に保持でき、安定し且つ安全な作業ができる効果がある。
さらに、上記治具本体を固定バンドによりヨークに着脱自在にしてあるから、この治具本体のヨークへの取り付け取り外しを簡単且つ容易にできる効果がある。
また、上記アイボルトの雌捻子部への捻じ込み取り付けの取り付け位置を調節可能としてあるから、４点吊り下げの位置を適宜に調節できる効果がある。
【発明を実施するための最良の形態】
【０００７】
図面に示した実施例により本発明を説明する。
図３に示す符号１が工場プラント内に配設した流通管２に設けた調節弁で、この調節弁上に弁操作部３を起立させてある。この操作部３は調節弁１に着脱自在に組み込まれており、調節弁１の保守点検時には調節弁１から取り外す。この操作部は重量が大きいため、これを取り外すにはチェーンブロックにより吊り上げ、または取り付ける際には吊り下げることにより作業する。操作部３にはヨーク４が設けられており、このヨーク４を利用して吊り上げ吊り下げ操作をする。
【０００８】
図中１０が本発明装置の主構成要素となる一対の治具本体で、鋼材等強固な材料からなる棒状部材で構成され、表面をウレタン樹脂材により被覆してある。この治具本体の長手方向両側のそれぞれに後述するアイボルトを受け入れる雌捻子部１１を設けてある。またこの治具本体には、この治具本体１０を弁操作部３のヨーク４に着脱自在とする固定バンド１２を設けてあり、この固定バンド１２により治具本体１０をヨーク４に左右に振れることがないように装着又は離脱させるものである。
【０００９】
図中１３が上記雌捻子部１１に捻子込み取り付けられるアイボルトで、その自由端側に吊り上げ用ワイヤーフックとなるアイ部分１４を設けてある。このアイボルト１３は、治具本体１０の雌捻子部１１に捻子込み取り付けられるが、その捻じ込み固定位置は自由に調節される。即ち、チェーンブロックの吊りフックがアイ部分１４に係止するのに都合のよい位置に調節できる。
【００１０】
上記の通りの構成からなる治具装置により操作部を吊り上げ吊り下げる際には、先ず一対の棒状の治具本体１０を操作部３のヨーク４の内側に差し込み、固定バンド１２でヨーク４に横振れすることのないようにしっかりと取り付ける。この治具本体１０の両側にはアイボルト１３が捻じ込まれているから、アイボルト１３のアイ部分１４にチェーンブロックの吊りフックを係止して操作部３を吊り上げたり吊り下げたりするのに都合のよい位置にアイボルト１３が位置するようアイボルト１３を捻ることにより調節できる。
【図面の簡単な説明】
【００１１】
【図１】操作部に本発明の吊り上げ吊り下げ用治具装置を組み込んだ状態を示す斜視図。
【図２】本発明治具装置の分解斜視図。
【図３】弁操作部が組まれた状態の調節弁の斜視図。
【図４】調節弁の操作部を取り外した状態の斜視図。
【符号の説明】
【００１２】
１  調節弁
２  流通管
３  弁操作部
４  ヨーク
１０  治具本体
１１  雌捻子部
１２  固定バンド
１３  アイボルト
１４  アイ部分
【図１】
2007261690.tif 000003
【図２】
2007261690.tif 000004
【図３】
2007261690.tif 000005
【図４】
2007261690.tif 000006
(57)【要約】【課題】従来の、賃貸契約締結の経緯は貸主側からインターネット検索や賃貸情報誌閲覧、または店頭で案内されて、借主が自分の条件にみあう賃貸物件を探すのみで、借主側からの条件提示の場が限られていた。それは借主側から賃貸条件を提示する手段がなかったからである。【解決手段】インターネットから賃貸仲介業者、又は物件の貸主に対しあらかじめ用意されたコンピューターサーバに借主がアクセスして、そのシステム内に借主の希望条件である地域、保証金、賃料、それに付随する条件を入力して賃貸契約を申込む。貸主もそのシステムにアクセスして申込み条件を閲覧し、条件が合致すれば双方で連絡を取り合って契約締結に結び付ける。このシステム形態により課題が解決する。【選択図】図１
2007293404.tif 000002
【特許請求の範囲】
【請求項１】
賃貸物件において借主側から貸主側に賃貸条件を提示させ、その条件を貸主側に入札、又は競売させる組織形態
【発明の詳細な説明】
【技術分野】
【０００１】
本発明は、賃貸物件の借主側が貸主側に物件の賃貸条件提示にインターネットを介し行う組織形態に関する。
【０００２】
賃貸物件の貸主側は借主側から物件の条件提示された内容に納得すれば、賃貸契約締結するものに関する。
【背景技術】
【０００３】
従来の、賃貸契約締結の経緯は貸主側からインターネット検索や賃貸情報誌の閲覧、又は店頭で賃貸条件提示されて、借主が自分の条件にみあう賃貸物件を探していた。
【０００４】
賃貸物件において借主側からの条件提示の場が限られていた。
【発明の開示】
【発明が解決しようとする課題】
【０００５】
賃貸物件は貸主側からの一方的な提示に対し借主側からも希望条件を提示できる組織形態。
【課題を解決するための手段】
【０００６】
本発明は上記を解決するために、インターネットから賃貸仲介業者、又は物件の貸主にあらかじめ用意されたコンピューターサーバに借主がアクセスして、そのシステム内に借主の希望条件である地域、保証金、賃料、それに付随する各条件を入力して申込む。貸主もそのシステムにアクセスをして申込み条件を閲覧し、条件が合致すれば双方で連絡を取り合って契約締結に結び付ける。このシステム形態により課題が解決する。
【発明の効果】
【０００７】
本発明により、従来の賃貸物件は貸主側からの一方的な賃貸条件提示だったが、借主側からも条件提示できるようになる。
【発明を実施するための最良の形態】
【０００８】
以下、本発明の実施の形態を図１に基づいて説明する。
【０００９】
賃貸物件借主は図１の賃貸条件入力サーバのフォームに自分の借りたい条件をインターネット経由で入力、貸主は借主が入力した条件に自分の物件が合致するかをインターネット経由で確認し合致すれば借主に連絡、賃貸契約を結ぶ。
【００１０】
貸主が多数現れた場合は、貸主は賃料など各条件軽減のために、入札及び競売で借主の獲得に勤める。
【図面の簡単な説明】
【００１１】
【図１】賃貸条件入力サーバ
【図１】
2007293404.tif 000003
(57)【要約】【課題】コンピューターの小型化、軽量化のためには、キイの多さとスイッチ式のキイによる入力方式を変える必要がある。【解決手段】（イ）キイボードを１、  機能キイ＋日本語入力用文字キイ２、  機能キイ＋英文字キイ３、  機能キイ＋数字キイ４、  機能キイ＋記号キイのように分類し、各々のキイボードを液晶画面にカスケード型に表示する。（ロ）のことによって、キイボード上のキイの数を減らすことができる（ハ）キイの数が少なくなることによって、キイボードの面積を少なくできる。（二）液晶画面にキイボードを表示することにより、何枚のキイボードを表示しても重量の変化は起こらず、従って軽量化にも寄与することとなる。  以上により、これらの課題全てを解決出来ることとなる。【選択図】図１
2007293844.tif 000002
【特許請求の範囲】
【請求項１】
コンピューターの入力装置として必要な文字、数字、記号等を複数のボードに分割し、液晶画面上にカスケード型に表示したキイボード。
【発明の詳細な説明】
【技術分野】
【０００１】本発明は、コンピューターの入力装置としてのキイボードである。
【背景技術】
【０００２】現在、標準配列のキイボードが使用されていますが、キイの数の多さと、スイッチ式のキイが、コンピューターの小型、軽量化のネックになっている。
【発明の開示】
【発明が解決しようとする課題】
【０００３】（１）画面上に表示するキイの数を少なく、見付けやすくする。
（２）キイボードの面積を少なくする。
（３）軽量化を図る。
【課題を解決するための手段】
【０００４】１、  機能キイ  ＋  日本語入力用文字キイ
２、  機能キイ  ＋  英文字キイ
３、  機能キイ  ＋  数字キイ
４、  機能キイ  ＋  記号キイ
に分類し、各々のキイボードを液晶画面上にカスケード型に表示する。
【発明の効果】
【０００５】（１）本発明によって、キイボードの占める面積を少なくできる。
（２）ボード上のキイの数を少なくでき、目的のキイが見付けやすくなる。
（３）液晶画面に表示した、キイの表示がそのままの形で入力される。
（４）ボードの枚数をいくら増やしても重量に変化がなく、軽量化できる。
（５）全ての操作を片手で行えるようになる。
（６）自分の使い勝手の良い配列のキイボードを簡単に製作できる。
【発明を実施するための最良の形態】
【０００６】コンピューターの液晶画面を２つに分け、片方を文字、記号等の表示画面とし、もう片方に本発明のキイボードを表示し、入力装置とする。
【実施例】
【０００７】本発明を、添付図面に従って説明する。
添付図面は、コンピューターの液晶画面に本発明のキイボードを表示する図の一例である。先ず図１から図４のキイボードを液晶画面上にカスケード型に表示しておき、左側にある機能キイの（ひら，カナ）をデジタイザーペンあるいはマウスクリックする（以下タッチと表示する。）ことによって、図１が表示され、（英大）をタッチすることによって、図２が表示され、（数字）をタッチすることによって、図３が表示され、（記号）をタッチすることによって、図４が表示される様に配置する。以下、呼び出した各々のキイボードの文字、数字、記号をタッチすることによって、表示画面に入力表示する。
【図面の簡単な説明】
【０００８】
【図１】本発明の日本語入力用文字のキイボード配列図である。
【図２】本発明の英文字入力のキイボード配列図である。
【図３】本発明の数字入力のキイボード配列図である。
【図４】本発明の記号入力のキイボード配列図である。
【符号の説明】
【０００９】
【図１】
2007293844.tif 000003
【図２】
2007293844.tif 000004
【図３】
2007293844.tif 000005
【図４】
2007293844.tif 000006
(57)【要約】【課題】三味線の撥において、トレモロや連続早技撥さばきにおいて、掬い撥が引っ掛からないように三味線の撥の表側の片方先端部に突起物のガイドを設けた三味線の撥を提供する。【解決手段】三味線の撥において、三味線の撥の表側の片方先端部に、深く引っ掛けた糸でも撥先に滑らせる突起物のガイドを設けたことを特徴とする三味線の撥。【選択図】図１
2007293225.tif 000002
【特許請求の範囲】
【請求項１】
三味線の撥において、三味線の撥の表側の片方先端部に突起物のガイドを設けた事を特徴とする三味線の撥。
【発明の詳細な説明】
【技術分野】
【０００１】  本発明は、三味線の「掬い撥」奏法において、滑らかな撥さばきができるように、撥の先端部に、突起物のガイドを設け、糸が撥先に引っ掛からないようにした三味線の撥に関するものである。
【背景技術】
【０００２】  従来、掬い撥を滑らかに演奏できるようになるまでには、相当数の年月を要していた。
特に、津軽三味線においては、打つ、掬うの連続早技奏法やトレモロなど、初心者にとってはもちろんのこと、プロことっても至難の撥さばきが要求されていた。
撥が糸に対して打ちに適した角度のまま掬うと、少しでも撥先が深く糸に当たると抜けなくなり、引っ掛かるため、掬い撥の時は瞬間的に角度を変える必要があるが、至難の技である。
【特許文献１】特許公開２００６−７９０３５
【発明の開示】
【発明が解決しようとする課題】
【０００３】  それには次のような問題点があった。
（イ）誰しも、早く上達したい気持ちは持っているが、トレモロや早い連続技の撥さばきは非常に難しく、その原因は「掬い撥」にあった。
（ロ）下から掬う撥先は糸に対して１〜２ミリ当たれば良いのだが、浅ければ空打ちで音が出ず、深ければ引っ掛かり、上達するまでにはかなりの年月を必要とした。
（ハ）永い三味線の歴史の中で、なぜ今まで本案のような突起物のガイドが試されなかったかを考えてみると、撥の材料が象牙やべっ甲で、昔から非常に高価であったが故に、その撥先に厚みを持たせたり、突起物を接着することに抵抗があったと思われる。
（ニ）事実、私も撥の製作を４年もやっているが、糸を抜けやすくするためのガイドをつけることは初期のころから考えてはいたが、試作する気になれなかった。
それは、もし失敗したら、やっとの思いで手に入れたワシントン条約で輸入禁止のタイマイと呼ばれる高価なべっ甲で作った撥を、一瞬にして駄目にすることを恐れたからに他ならない。
（ホ）高価な撥も、撥の先端部を破損したら商品価値はなくなり、致命傷となるため、今まで誰も危険な賭けに挑戦してこなかった。
（ヘ）伝統を重んじる長唄や義太夫では、過去の形を変えることに抵抗があった。
本発明は、以上の問題点を解決するためのものである。
【課題を解決するための手段】
【０００４】  三味線の撥において、三味線の撥の表側の片方先端部に突起物のガイドを設けることにより、下からの掬い撥が仮に深く入っても、糸はガイドにより先端部に移動し、スムースに撥は抜ける。
【発明の効果】
【０００５】  今まで、許容範囲２ミリだった撥さばきが１０ミリと大幅に広くなり、初心者でも、至難の技であったトレモロや、打つ、掬うの早い連続撥さばきが嘘のように簡単にできるのである。
【発明を実施するための最良の形態】
【０００６】  以下、本発明の実施の形態を説明する。
（イ）べっ甲（２）の撥にあっては、できるだけ同色の材料を選び、三角形に成型後、バフ等で表面を磨き、底部をノコで切断し、２液混合の接着剤で強力に接着する。
（ロ）ガイド（１）の形はいろいろ考えられるが、大きすぎると、接着面積は広くなり、剥がれにくくなるものの、撥のしなりを阻害したり、見た目に違和感が生じるため、必要最小限度の大きさで作る。
（ハ）図４に示すように、撥の先端部が表皮（５）に接した状態で、糸（８）がガイドの後ろに行かないように、ガイド（１）の大きさを作る。
（ニ）大量生産品としては、突起物のガイド（１）をプラスチックで作り、接着剤といっしょに販売も可能である。
（ホ）図２のように、ガイド（１）を撥の先端部に合わせて接着すると、撥の抜けが良すぎて、掬い撥の音は小さくなる。
（ヘ）図３のようにガイド（１）を内側に入れて、撥の先端部との間に２ミリ程ギャップ（４）を作って接着すると、掬いの手ごたえがあり、音もしっかりする。
（ト）上級者使用の場合、小さなガイド（１）でも十分その性能が発揮できる。
（チ）上級者用の小さいガイド（１）は、ほとんど目立たない利点がある。
（チ）象牙や木製の撥、また、分厚いべっ甲があったら、ガイド（１）を接着剤でつけるのでなく、削り出しで作ることもできる。
【図面の簡単な説明】
【０００７】
【図１】本発明の全体図
【図２】本発明の側面図
【図３】本発明の側面図
【図４】本発明の使用状態での側面から見た拡大断面図
【図５】本発明の拡大斜視図
【符号の説明】
【０００８】    １  ガイド
２  鼈甲
３  手元
４  ギャップ
５  表皮
６  １の糸
７  ２の糸
８  ３の糸
【図１】
2007293225.tif 000003
【図２】
2007293225.tif 000004
【図３】
2007293225.tif 000005
【図４】
2007293225.tif 000006
【図５】
2007293225.tif 000007
(57)【要約】      （修正有）【課題】階段などのインテリア、広告など脱着の度にその箇所がキズだらけのならない、しかも簡単に脱着ができるインテリア、広告を提供する。【解決手段】階段などの安全対策に使用されているスリップ防止のノンスリップ金具２などを階段１のけ込みからフィルム等が差し込めるだけの隙間をあけて設置し、絵柄やイラスト、文字などを書いたフィルムやアクリル板などを差し込むようにした。階段等の安全を確保し、インテリア、化粧が手軽に模様替えが出来きる。また広告媒体として手軽に表示面３（絵柄、イラスト等を書いたフィルムやアクリル板）が脱着できるようにする。【選択図】図２
2007279646.tif 000002
【特許請求の範囲】
【請求項１】
階段等１にノンスリップ２を設置する時にけ込みとの間に若干の隙間を持たせて設置し、その隙間を利用して絵柄や文字、イラスト等を階段等の段ごとのノンスリップとけ込みの隙間に全て差し込み脱着簡単な階段インテリア、広告。
【発明の詳細な説明】
【発明の詳細な説明】
本発明は、階段などの安全対策に使用されているスリップ防止のノンスリップ金具のＬ字型を階段のけ込みからフィルム等が差し込めるだけの隙間をあけて設置し、絵柄やイラスト、文字などをかいたフィルムやアクリル板等を差し込むようにした。
従来、階段等のインテリア、広告は塗装による化粧やイラストなどもペイント等の画工であったり、広告なども同様かフィルムやアクリルなどをボンド接着、両面テープ接着、ビスなどによる設置であったため脱着が簡単に出来なかった。また脱着の度にその箇所がキズだらけになるという問題点を有していた。
本発明は、ノンスリップ金具を利用するため、階段等の安全性、階段インテリア、広告が手軽にしかも簡単に脱着でき、脱着後のキズも無く出来る。
【図面の簡単な説明】
【図１】階段とノンスリップと表示面（絵柄、イラスト等）の斜視図である。
【図２】階段にノンスリップを取付て表示面（絵柄、イラスト等）を設置した断面図である。
【符号の説明】
１、階段
２、ノンスリップ
３、表示面
【図１】
2007279646.tif 000003
【図２】
2007279646.tif 000004
(57)【要約】【課題】壁がガラスや金属など硬い場合  ポスターやメモなどの掲示対象物を掲示するのに接着剤を使用しないでワンタッチで可能となる吸盤を提供する。【解決手段】  吸盤の背面に突出した軸を設け、吸盤背面で紙等の掲示物を挟持する隙間を介して押圧部を軸に設け、吸盤使用時の押力で吸盤に生じる変形にて隙間に掲示物を挟み付け固定する掲示用吸盤。【選択図】図１
2007279645.tif 000002
【特許請求の範囲】
【請求項１】
吸盤の背面に突出した軸を設け、吸盤背面で紙等の掲示物を挟持する隙間を介して押圧部を軸に設け、吸盤使用時の押力で吸盤が変形することにより隙間に掲示物を挟み付け固定する掲示用吸盤。
【発明の詳細な説明】
【技術分野】
【０００１】      本発明は  壁がガラスや金属など硬い場合にポスターやメモなどの掲示物を壁に掲    示するための、接着剤を使用しないでワンタッチで掲示物を固定することを可能にす    る吸盤に関するものである。
【背景技術】
【０００２】  ポスターやメモなどをガラス、プラスチック板や金属製の硬い壁に掲示するための道具としてセロテープが一般的・通常的に使われている。その他剥離可能な粘着剤を塗布したものや、吸盤にクリップや押しピンが装着したものや、金属製の壁に掲示する場合はマグネットを利用したものがある。
【発明の開示】
【発明が解決しようとする課題】
【０００３】  ガラスや金属などの壁にポスター等を掲示するとき、セロテープその他剥離可能な粘着剤を塗布したものを使用した場合は掲示対象物を傷めたり、壁に粘着剤が移行して壁を汚したりする可能性がある。又、マグネットを利用する場合は掲示したい壁面が鉄など応磁性物質に限られるなどの欠点がある。吸盤にクリップや押しピンが装着してあるものは部品の複数の組み合わせで製造コストが嵩む。
本発明は、以上の問題点を解決するためになされたものである。
【課題を解決するための手段】
【０００４】  吸盤の背面に突出した軸を設け、吸盤背面で紙等の掲示物を挟持する隙間を介して押圧部を軸に設ける。そして、吸盤使用時の押力で吸盤が変形し隙間が狭まることにより掲示物を挟み付け固定する。以上を特徴とする掲示用吸盤である。
【発明の効果】
【０００５】  本発明は、吸盤の上部に押圧部を形成することにより、ポスターやメモなどの掲示対象  物を保持することができる。このため壁面を傷めたり汚したりすることなく掲示するこ  とができる。
【発明を実施するための最良の形態】
【０００６】    以下、本発明の実施の形態を説明する。
イ）吸盤（２）の背面に軸（１）を設ける。
ロ）吸盤（２）の軸（１）にすき間を介して笠状の押圧部（３）を設ける。
ハ）吸盤（２）と押圧部（３）のすき間を挟持部（４）とする。
ニ）本発明では  押圧部（３）の形状は掲示物を保持するという目的上、笠状又は突出片    状又は扇状等が考えられる。
本発明は以上の構成よりなる。
本発明を使用するときは、掲示しようとする用紙やポスター（５）を、吸盤（２）と押圧部（３）のすき間に形成される挟持部（４）に差し込む。その後、吸盤（２）をガラスやプラスチック等の壁面（６）に圧迫吸着させる。すると、吸盤（２）は変形して広がり上の押圧部（３）との間隔が狭まり、挟持部（４）にて掲示物を挟みつけて固定することができる。
【図面の簡単な説明】
【０００７】
【図１】本発明の斜視像
【図２】本発明の断面図
【図３】本発明に掲示物を挟んだ斜視像
【図４】本発明の使用時の断面図
【符号の説明】
【０００８】          １  軸
２  吸盤
３  押圧部
４  挟持部
５  掲示物
６  壁面
【図１】
2007279645.tif 000003
【図２】
2007279645.tif 000004
【図３】
2007279645.tif 000005
【図４】
2007279645.tif 000006